(57)【要約】【課題】  放射線画像を被検者の検査関連情報と自動的に対応付けることで、患者取り違えなどのリスクを低減しつつ、撮影を効率化することができる。【解決手段】  本発明の放射線撮影システムは、被検体の検査関連情報に基づいて、前記被検体の検査時間を記憶する情報端末と、前記検査関連情報に基づいて、前記被検体の放射線画像を撮影し、前記放射線画像の撮影時間を記憶する放射線撮影装置と、前記撮影時間及び前記検査時間に基づいて、前記放射線画像と前記検査関連情報とを対応付ける対応付け手段とを備える。【選択図】  図１
2017184875.tif 000002
【特許請求の範囲】
【請求項１】
被検体の検査関連情報に基づいて、前記被検体の検査時間を記憶する情報端末と、
前記検査関連情報に基づいて、前記被検体の放射線画像を撮影し、前記放射線画像の撮影時間を記憶する放射線撮影装置と、
前記撮影時間及び前記検査時間に基づいて、前記放射線画像と前記検査関連情報とを対応付ける対応付け手段と
を備えることを特徴とする放射線撮影システム。
【請求項２】
前記対応付け手段は、
前記情報端末により関連付けられた前記被検体の検査の開始時刻及び終了時刻の少なくとも１つと前記検査関連情報とを入力し、
前記開始時刻から撮影された前記放射線画像及び前記終了時刻まで撮影された前記放射線画像の少なくとも１つと前記検査関連情報とを対応付けることを特徴とする請求項１に記載の放射線撮影システム。
【請求項３】
前記対応付け手段は、前記放射線画像の撮影順序及び前記検査関連情報に含まれる検査の実施順序に基づいて、前記放射線画像と前記検査関連情報とを対応付けることを特徴とする請求項２に記載の放射線撮影システム。
【請求項４】
前記情報端末は、前記放射線画像を撮影する際の照射線量を記憶し、
前記対応付け手段は、前記開始時刻から撮影された前記放射線画像及び前記終了時刻まで撮影された前記放射線画像の少なくとも１つと前記照射線量とを、前記放射線画像の撮影順序及び前記照射線量の取得順序に基づいて対応付けることを特徴とする請求項２に記載の放射線撮影システム。
【請求項５】
前記情報端末は、前記放射線画像を撮影する際の撮影手技を記憶し、
前記対応付け手段は、前記開始時刻から撮影された前記放射線画像及び前記終了時刻まで撮影された前記放射線画像の少なくとも１つと前記撮影手技とを、前記放射線画像の撮影順序及び前記撮影手技の実施順序に基づいて対応付けることを特徴とする請求項２に記載の放射線撮影システム。
【請求項６】
前記情報端末は、前記検査関連情報が選択又は表示された時刻を前記開始時刻又は前記終了時刻として記憶することを特徴とする請求項２乃至５の何れか１項に記載の放射線撮影システム。
【請求項７】
前記検査関連情報は、検査情報及び検査実施情報の少なくとも１つを含み、
検査情報は、前記被検体の被検体名、被検体ＩＤ、生年月日、性別、検査ＩＤ、検査日時、検査場所、及び撮影手技の少なくとも１つを含み、
検査実施情報は、前記撮影手技の実施順序、前記放射線画像の写損情報、及び前記放射線撮影装置の照射線量の少なくとも１つを含むことを特徴とする請求項１乃至６の何れか１項に記載の放射線撮影システム。
【請求項８】
前記対応付け手段は、前記放射線画像の数が前記撮影手技の数を超える場合、前記撮影手技を入力し、対応付けができなかった前記放射線画像を、入力された前記撮影手技と対応付けることを特徴とする請求項５に記載の放射線撮影システム。
【請求項９】
前記対応付け手段は、前記撮影手技の数が前記放射線画像の数を超える場合、前記放射線画像と対応付けができなかった前記撮影手技を未実施の撮影手技として記録することを特徴とする請求項５に記載の放射線撮影システム。
【請求項１０】
前記情報端末は、１つ以上の前記放射線撮影装置とグループ化されており、
前記対応付け手段は、前記情報端末と同一グループの前記放射線撮影装置の前記放射線画像と前記情報端末の前記検査関連情報とを対応付けることを特徴とする請求項１乃至９の何れか１項に記載の放射線撮影システム。
【請求項１１】
被検体の放射線画像を撮影し、前記放射線画像の撮影時間を記憶する放射線撮影装置に電気的に接続可能な情報端末であって、
前記被検体の検査関連情報に基づいて、前記被検体の検査時間を記憶する記憶手段と、
前記撮影時間及び前記検査時間に基づいて、前記放射線画像と前記検査関連情報とを対応付ける対応付け手段と
を備えることを特徴とする情報端末。
【請求項１２】
前記記憶手段は、前記被検体の検査の開始時刻及び終了時刻の少なくとも１つを前記検査関連情報と関連付けて記憶し、
前記対応付け手段は、前記開始時刻から撮影された前記放射線画像及び前記終了時刻まで撮影された前記放射線画像の少なくとも１つと前記検査関連情報とを対応付けることを特徴とする請求項１１に記載の情報端末。
【請求項１３】
被検体の検査関連情報を記憶する情報端末に電気的に接続可能であり、前記検査関連情報に基づいて前記被検体の放射線画像を撮影し、前記放射線画像の撮影時間を記憶する放射線撮影装置であって、
前記被検体の検査時間を前記情報端末から入力し、前記撮影時間及び前記検査時間に基づいて、前記放射線画像と前記検査関連情報とを対応付ける対応付け手段
を備えることを特徴とする放射線撮影装置。
【請求項１４】
前記対応付け手段は、
前記情報端末により関連付けられた前記被検体の検査の開始時刻及び終了時刻の少なくとも１つと前記検査関連情報とを入力し、
前記開始時刻から撮影された前記放射線画像及び前記終了時刻まで撮影された前記放射線画像の少なくとも１つと前記検査関連情報とを対応付けることを特徴とする請求項１３に記載の放射線撮影装置。
【請求項１５】
被検体の検査関連情報に基づいて、前記被検体の検査時間を記憶する工程と、
前記検査関連情報に基づいて、前記被検体の放射線画像を撮影し、前記放射線画像の撮影時間を記憶する工程と、
前記撮影時間及び前記検査時間に基づいて、前記放射線画像と前記検査関連情報とを対応付ける工程と
を備えることを特徴とする放射線撮影方法。
【請求項１６】
コンピュータを請求項１乃至１４の何れか１項に記載の放射線撮影装置の各手段として機能させるためのプログラム。
【発明の詳細な説明】
【技術分野】
【０００１】
本発明は、放射線画像を被検者の検査関連情報と対応付ける放射線撮影システム、情報端末、放射線撮影装置、放射線撮影方法、及びプログラムに関する。
【背景技術】
【０００２】
現在、被検体を透過した放射線の強度を画像化することで得られる放射線画像は、デジタル画像が一般的である。例えば、Ｃｏｍｐｕｔｅｄ  Ｒａｄｉｏｇｒａｐｈｙ（以下、ＣＲ）装置では、カセッテに収容したＩｍａｇｉｎｇ  Ｐｌａｔｅ（以下、ＩＰ）に放射線を蓄積させる。その後、読み取り装置でＩＰにレーザー光を照射しながらＩＰから発光される光量をスキャンしてデジタル画像を得る。
【０００３】
ＣＲ装置は、カセッテと読み取り装置と制御装置を具備して構成される。読み取り装置は、カセッテから個体識別情報と放射線画像を読み取り、制御装置へ送信する。制御装置は、カセッテの個体識別情報をもとに放射線画像と制御装置内に記憶していた検査オーダを対応づける。
【０００４】
近年では、読み取り装置を必要とせず、放射線を検出しデジタル画像に変換するフラットパネルディテクタ（以下、ＦＰＤ）が広く用いられている。このＦＰＤは内部に記憶領域を備えることで複数のデジタルＸ線画像を記憶しておくことができる（特許文献１参照）。
【先行技術文献】
【特許文献】
【０００５】
【特許文献１】特許第３４９４６８３号公報
【特許文献２】特開２００９−８９７２３号公報
【発明の概要】
【発明が解決しようとする課題】
【０００６】
しかし、１つのＦＰＤに複数の画像を記憶させると、従来のＣＲ装置のように個体識別情報で放射線画像と検査オーダを対応付けるのが困難となる。特許文献２に開示されている放射線画像と検査オーダを対応付け方法では、撮影毎に検査記録装置にＦＰＤの個体識別情報を入力する必要がある。
本発明は、上記の課題を鑑みてなされたものであり、患者取り違えなどのリスクを低減しつつ、撮影を効率化することを目的とする。
【課題を解決するための手段】
【０００７】
本発明の放射線撮影システムは、被検体の検査関連情報に基づいて、前記被検体の検査時間を記憶する情報端末と、前記検査関連情報に基づいて、前記被検体の放射線画像を撮影し、前記放射線画像の撮影時間を記憶する放射線撮影装置と、前記撮影時間及び前記検査時間に基づいて、前記放射線画像と前記検査関連情報とを対応付ける対応付け手段とを備える。
【発明の効果】
【０００８】
本発明によれば、患者取り違えなどのリスクを低減しつつ、撮影を効率化することができる。
【図面の簡単な説明】
【０００９】
【図１】第１の実施形態に係る放射線撮影システムの構成の一例を示す図である。
【図２】放射線撮影システムの制御装置の一例を示すブロック図である。
【図３】放射線撮影装置の一例を示すブロック図である。
【図４】情報端末の一例を示すブロック図である。
【図５】情報端末と放射線撮影装置のグループ化処理の一例を示すフローチャートである。
【図６】第１の実施形態に係る情報端末の検査関連情報記録処理の一例を示すフローチャートである。
【図７】表示部に表示される検索画面の一例を示す図である。
【図８】表示部に表示される新規検査登録画面の一例を示す図である。
【図９】検査情報が表示された検査情報一覧画面の一例を示す図である。
【図１０】表示部に表示される検査オーダ詳細画面の一例を示す図である。
【図１１】表示部に表示される手技編集画面の一例を示す図である。
【図１２】第２の実施形態に係る情報端末の検査関連情報記録処理の一例を示すフローチャートである。
【図１３】表示部に表示される対応付け結果画面の一例を示す図である。
【図１４】表示部に表示される検査追加画面の一例を示す図である。
【発明を実施するための形態】
【００１０】
以下、本発明の実施形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１１】
（第１の実施形態）
図１は、本発明の第１の実施形態に係る放射線撮影システム（以下、Ｘ線撮影システム）の構成の一例を示す図である。
【００１２】
図１のように、Ｘ線撮影システムは、制御装置１０１Ａ〜Ｂと、Ｘ線発生装置１０２と、Ｘ線撮影装置（放射線撮影装置）１０３と、検査記録装置（情報端末）１０４と、ＲＩＳ（放射線科部門内情報システム）１０５と、ＨＩＳ（院内システム）１０６と、ＰＡＣＳ（画像サーバ）１０７などを備える。また、制御装置１０１Ａ〜Ｂ、検査記録装置１０４、ＲＩＳ１０５、ＨＩＳ１０６、及びＰＡＣＳ１０７は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などで構成されるネットワーク１０８を介して電気的に接続される。
【００１３】
制御装置１０１Ａ〜１０１Ｂは、同一機能を有し、被検体の個体識別可能である。以下、制御装置１０１Ａ〜１０１Ｂを個別に識別する必要がない場合は、制御装置１０１と記す。Ｘ線発生装置１０２Ａ〜１０２Ｂ、Ｘ線撮影装置（放射線撮影装置）１０３Ａ〜１０３Ｃ、及び検査記録装置１０４Ａ〜１０４Ｂについても同様に、個別に識別する必要がない場合は、Ｘ線発生装置１０２、Ｘ線撮影装置１０３、及び検査記録装置１０４と記す。
【００１４】
制御装置１０１は、Ｘ線画像（放射線画像）の画像処理やＰＡＣＳ１０７への画像出力などの画像管理を行い、ＲＩＳ１０５やＨＩＳ１０６と連携して検査オーダや検査の進捗状況などの情報管理を行う。また、制御装置１０１は、有線または無線でＸ線撮影装置１０３や検査記録装置１０４と通信し、Ｘ線撮影装置１０３から取得したＸ線画像と検査記録装置から取得した検査関連情報に含まれる検査時間を利用して対応付けを行う。
【００１５】
検査記録装置（情報端末）１０４は、被検体の検査関連情報に基づいて、被検体の検査時間を記憶する。Ｘ線撮影装置（放射線撮影装置）１０３は、検査関連情報に基づいて、被検体の放射線画像を撮影し、放射線画像の撮影時間を記憶する。そして、制御装置１０１は、対応付け部として機能し、Ｘ線画像（放射線画像）の撮影時間及び検査時間に基づいて、Ｘ線画像（放射線画像）と検査関連情報とを対応付ける。
【００１６】
検査関連情報は、検査情報及び検査実施情報の少なくとも１つを含む。検査情報は、被検体の被検体名、被検体ＩＤ、生年月日、性別、検査ＩＤ、検査日時、検査場所、及び撮影手技の少なくとも１つを含む。検査実施情報は、撮影手技の実施順序、Ｘ線画像（放射線画像）の写損情報、及びＸ線撮影装置（放射線撮影装置）１０３の照射線量の少なくとも１つを含む。
【００１７】
本実施形態では、検査関連情報は検査情報（患者名、患者ＩＤ、生年月日、性別、検査ＩＤ、検査日時、所在、及び撮影手技など）と検査実施情報（撮影手技の実施順、写損情報、及び照射線量など）から構成される。
【００１８】
Ｘ線発生装置１０２は、被検体やＸ線撮影装置１０３に対してＸ線を照射する。撮影室に固定されたタイプの装置や、回診用や災害用の任意の場所へ移動が可能なタイプの装置がある。
【００１９】
Ｘ線撮影装置１０３は、被検体を透過したＸ線を検出し、被検体に基づくＸ線画像を取得する検出器として機能し、被検体のＸ線画像（放射線画像）を撮影する。Ｘ線撮影装置１０３は、被検体の検査関連情報を記憶する検査記録装置（情報端末）１０４に電気的に接続可能であり、検査関連情報に基づいて被検体のＸ線画像（放射線画像）を撮影する。
【００２０】
検査記録装置１０４は、Ｘ線撮影装置（放射線撮影装置）１０３に電気的に接続可能な情報端末（例えば、携帯電話やスマートデバイスなどの携帯情報端末）であり、検査関連情報の管理を行う。検査関連情報の１つである検査情報は、オペレータの操作により検査記録装置１０４へ直接入力されてもよいし、ネットワーク１０８を介してＲＩＳ１０５やＨＩＳ１０６などから取得した検査オーダに基づいて検査記録装置１０４で生成されてもよい。オペレータは、検査記録装置１０４で撮影する患者（被検体）や撮影手技を確認できる。
【００２１】
また、オペレータの入力を受け、検査の開始時刻や終了時刻などの検査実施時刻（検査時間）、写損の有無、及びＸ線発生装置１０２から取得された照射線量などの検査実施情報を記憶する。検査関連情報の１つである検査実施情報は、オペレータにより検査記録装置１０４へ直接入力されてもよいし、ネットワーク１０８を介してＲＩＳ１０５やＨＩＳ１０６などから取得した検査オーダに基づいて検査記録装置１０４で生成されてもよい。
【００２２】
なお、図１に示す構成はあくまで一例であり、構成や台数は適宜変更することができる。例えば、図１の制御装置１０１は、ネットワーク１０８を介して各種装置と接続されているが、必ずしも制御装置１０１は、このような装置と接続されている必要はない。
【００２３】
次に各装置の詳細について説明する。図２は、Ｘ線撮影システム（放射線撮影システム）の制御装置１０１の一例を示すブロック図である。制御装置１０１は、ＣＰＵ２０１と、記憶部２０２と、ネットワークＩ／Ｆ２０３と、機器Ｉ／Ｆ２０４と、表示部２０５と、入力部２０６とを備える。
【００２４】
ＣＰＵ２０１は、制御装置１０１の全体を総括的に制御する。記憶部２０２は、画像データや各種プログラムや検査関連情報などを記憶する。ネットワークＩ／Ｆ２０３は、ネットワーク１０８に電気的に接続して他の装置と通信することで、入出力部として機能する。機器Ｉ／Ｆ２０４は、Ｘ線撮影装置１０３に電気的に接続し、入出力部として機能する。
【００２５】
表示部２０５は、例えば、液晶ディスプレイであり、画像や検査関連情報などの各種情報をオペレータに表示する。入力部２０６は、マウス、キーボードなどを含み、オペレータからの各種指示や各種情報を装置内に入力する。表示部２０５と入力部２０６は、それらが一体となったタッチパネルで実現されてもよい。
【００２６】
図３は、Ｘ線撮影システムのＸ線撮影装置（放射線撮影装置）１０３の一例を示すブロック図である。Ｘ線撮影装置１０３は、ＣＰＵ３０１と、Ｘ線検出部３０２と、時計３０３と、記憶部３０４と、機器Ｉ／Ｆ３０５とを備える。
【００２７】
ＣＰＵ３０１は、Ｘ線撮影装置全体を制御する。Ｘ線検出部３０２で検出されたＸ線は画像に変換され、記憶部３０４に記憶される。時計３０３は、Ｘ線画像の撮影時刻（撮影時間）の取得に用いられる。撮影時刻は、Ｘ線画像と関連付けられて記憶部３０４に記憶される。記憶部３０４は、検査関連情報や複数のＸ線画像とその撮影時刻記憶しておく十分な容量を持つ。機器Ｉ／Ｆ３０５は、制御装置１０１や検査記録装置１０４に電気的に接続し、Ｘ線画像（放射線画像）及びＸ線画像の撮影時刻の送信や検査関連情報（検査実施時刻を含む）の受信を行い、入出力部として機能する。
【００２８】
図４は、Ｘ線撮影システムの検査記録装置（情報端末）１０４の一例を示すブロック図である。検査記録装置１０４は、ＣＰＵ４０１と、記憶部４０２と、時計４０３と、ネットワークＩ／Ｆ４０４と、機器Ｉ／Ｆ４０５と、表示部４０６と、入力部４０７とを備える。
【００２９】
ＣＰＵ４０１は、検査記録装置１０４の全体を総括的に制御する。記憶部４０２は、制御プログラムや検査関連情報などを記憶する。時計４０３は、検査実施時刻（検査時間）の取得に用いられる。検査実施時刻は、検査関連情報と対応付けられて記憶部４０２に記憶される。記憶部４０２は、被検体の検査関連情報に基づいて、被検体の検査実施時刻（検査時間）を記憶する。
【００３０】
ネットワークＩ／Ｆ４０４は、ネットワーク１０８に接続し、他の装置と通信することで、入出力部として機能する。機器Ｉ／Ｆ４０５は、Ｘ線撮影装置１０３やＸ線発生装置１０２と通信可能であり、入出力部として機能する。
【００３１】
表示部４０６は、例えば、液晶ディスプレイであり、Ｘ線画像（放射線画像）や検査関連情報などの各種情報をオペレータに表示する。入力部４０７は、マウス、操作ボタン、及び光学カメラなどを含み、オペレータからの各種指示や各種情報を端末内に入力する入力部として機能する。表示部４０６と入力部４０７は、それらが一体となったタッチパネルで実現されてもよい。
【００３２】
ここで、図１に示すＸ線撮影システムにおいて、検査の流れに沿ってＸ線画像と検査関連情報を対応付ける処理を説明する。検査記録装置（情報端末）１０４は、１つ以上のＸ線撮影装置１０３とグループ化されている。そして、制御装置（対応付け部）１０１は、検査記録装置１０４と同一グループのＸ線撮影装置１０３のＸ線画像（放射線画像）と検査記録装置（情報端末）１０４の検査関連情報とを対応付ける。
【００３３】
図５は、検査記録装置（情報端末）１０４とＸ線撮影装置（放射線撮影装置）１０３のグループ化処理の一例を示すフローチャートである。図６は、検査記録装置（情報端末）１０４の検査関連情報記録処理の一例を示すフローチャートである。
【００３４】
まず、検査準備処理として、制御装置１０１が、検査記録装置（情報端末）１０４とＸ線撮影装置（放射線撮影装置）１０３のグループ化処理を行う。このグループ化処理は、検査記録装置１０４とＸ線撮影装置１０３を一意に対応付けるための処理である。１グループは、１台の検査記録装置１０４と１台以上のＸ線撮影装置１０３から構成される。
【００３５】
グループは、複数登録可能であるが、検査記録装置１０４及びＸ線撮影装置１０３を複数のグループに同時に登録することはできない。例えば、グループ１０９Ａに登録中の検査記録装置１０４Ａを、同時にグループ１０９Ｂに登録することはできない。このグループは、オペレータの操作により解消や変更が可能である。
【００３６】
図５に示すように、オペレータは、検査に用いる検査記録装置１０４とＸ線撮影装置１０３の個体識別番号を制御装置１０１に入力する（ステップＳ５０１）。個体識別番号は、例えばキーボードにより入力されてもよいし、検査記録装置１０４やＸ線撮影装置１０３に付帯されたバーコードを読み込むことにより入力されてもよい。また、個体識別番号は、検査記録装置１０４やＸ線撮影装置１０３を制御装置１０１に接続することで、検査記録装置１０４やＸ線撮影装置１０３から制御装置１０１に送信され、制御装置１０１に入力されてもよい。
【００３７】
入力された個体識別番号の検査記録装置１０４が未登録である（何れのグループにも登録されていない）と判断された場合（ステップＳ５０２：ＹＥＳ）、制御装置１０１は、グループを新規作成して検査記録装置１０４を登録する（ステップＳ５０３）。
【００３８】
例えば、制御装置１０１は、個体識別番号が入力済みのＸ線撮影装置１０３の中から、何れのグループにも登録されていない装置を表示部２０５に表示させる。オペレータが登録したいＸ線撮影装置１０３を１台以上選択すると（ステップＳ５０４）、制御装置１０１は、選択されたＸ線撮影装置１０３をステップＳ５０３で作成したグループに登録する（ステップＳ５０５）。
【００３９】
このとき、複数の制御装置１０１が通信可能であれば、グループの登録情報が制御装置１０１間で共有されてもよい。また、グループ化処理は、検査記録装置１０４により行われてもよい。この場合、検査に用いるＸ線撮影装置１０３の個体識別番号が検査記録装置１０４に予め登録され、検査記録装置１０４を制御装置１０１に接続することで、グループの登録情報が制御装置１０１に送信されてもよい。
【００４０】
入力された個体識別番号の検査記録装置１０４が未登録でない（何れかのグループに登録されている）と判断された場合（ステップＳ５０２：ＮＯ）、制御装置１０１は、検査記録装置１０４のグループを変更するか否かを判断する（ステップＳ５０６）。
【００４１】
検査記録装置１０４のグループを変更する場合（ステップＳ５０６：ＹＥＳ）、検査記録装置１０４のグループを変更して登録する（ステップＳ５０３）。検査記録装置１０４のグループを変更しない場合（ステップＳ５０６：ＮＯ）、グループ化処理を終了する。
【００４２】
次に、検査関連情報の記録処理について説明する。図６に示すように、オペレータは、検査記録装置１０４の選択画面で、検査オーダをＲＩＳ１０５やＨＩＳ１０６から取得するか否かを選択する（ステップＳ６０１）。
【００４３】
検査オーダをＲＩＳ１０５やＨＩＳ１０６から取得する場合（ステップＳ６０１：ＹＥＳ）、検査オーダがＲＩＳ１０５やＨＩＳ１０６から取得される（ステップＳ６０２）。例えば、検査記録装置１０４の選択画面で、ＲＩＳ１０５から取得された検査オーダを基に検査情報を生成するためのボタンが押下された場合（ステップＳ６０１：ＹＥＳ）、検査記録装置１０４は、表示部３０６において、図７に示す検索画面を表示する。
【００４４】
オペレータは、取得したい検査情報の検索条件（患者名、患者ＩＤ、生年月日、性別、検査ＩＤ、検査日時、及び所在などの少なくとも１つ）を検索条件入力部７０１に入力する。検索条件の入力後、検査取得ボタン７０２の押下に伴い、検査記録装置１０４は、検索条件入力部７０１に入力された検索条件を含む検査取得要求を、ネットワーク１０８介してＲＩＳ１０５に通知する。検査取得要求を受けたＲＩＳ１０５は、検索条件に合致する検査オーダを検査記録装置１０４に返却する（ステップＳ６０２）。
【００４５】
検査オーダをＲＩＳ１０５やＨＩＳ１０６から取得しない場合（ステップＳ６０１：ＮＯ）、オペレータの入力に応じて、検査オーダが新規登録される（ステップＳ６０３）。ＲＩＳ１０５やＨＩＳ１０６を用いない放射線撮影システムでは、ステップＳ６０１が省略され、オペレータの入力に応じて、検査オーダが新規登録されてもよい。
【００４６】
例えば、検査記録装置１０４の選択画面で、オペレータによる入力情報を基に検査オーダを新規登録するためのボタンが押下された場合（ステップＳ６０１：ＮＯ）、検査記録装置１０４は、表示部３０６において、図８に示す新規検査登録画面を表示する。
【００４７】
新規検査登録画面は、患者情報入力部８０１と、検査情報入力部８０２と、手技追加ボタン８０３と、検査登録ボタン８０４とを含む。オペレータは、患者に関する検査情報（患者名、患者ＩＤ、性別、及び生年月日など）を患者情報入力部８０１に入力し、検査に関する検査情報（検査ＩＤ及び撮影手技など）を検査情報入力部８０２に入力する。ここで、患者に付帯されたバーコードなどを光学カメラやバーコードリーダーなどで読み込むことにより、患者に関する検査情報が入力されてもよい。
【００４８】
手技追加ボタン８０３を押下することで、複数の撮影手技の登録が可能となる。検査情報の入力後、検査登録ボタン８０４の押下に伴い、検査オーダが新規に登録される（ステップＳ６０３）。
【００４９】
図９は、検査情報が表示された検査情報一覧画面の一例を示す図である。図９に示すように、検査記録装置１０４の検査情報一覧画面には、ＲＩＳ１０５から取得された検査オーダを基に生成された検査情報又は新規登録された検査オーダを基に生成された検査情報が表示される（ステップＳ６０４）。検査情報一覧画面には、ＲＩＳ１０５から取得された検査オーダを基に生成された検査情報及び新規登録された検査オーダを基に生成された検査情報の両方が表示されてもよい。
【００５０】
検査追加ボタン９０１の押下に伴って、図８の新規検査登録画面が検査記録装置１０４に表示され、検査情報が追加されてもよい。また、検査取得ボタン９０２の押下に伴って、図７の検索画面が検査記録装置１０４に表示され、さらに検査オーダが取得され、検査情報が生成されてもよい。
【００５１】
オペレータは、検査情報一覧画面で患者に関する検査情報を確認し、実施する検査オーダ（検査実施情報）を一覧から選択する（ステップＳ６０５）。検査実施情報の選択に伴い、検査記録装置１０４は時計３０３の現在時刻を検査の開始時刻として取得し、検査関連情報と関連付けて記憶部４０２に記憶する（ステップＳ６０６）。このように、検査記録装置（情報端末）１０４は、被検体の検査関連情報が選択された時刻を開始時刻として記憶する。
【００５２】
検査記録装置１０４は、図１０に示す検査オーダ詳細画面を表示部３０６に表示する（ステップＳ６０７）。検査オーダ詳細画面は、詳細情報表示部１００１と、写損ボタン１００２と、手技追加ボタン１００３と、検査終了ボタン１００４とを含む。詳細情報表示部１００１には、検査ＩＤ、患者名、患者ＩＤ、性別、生年月日、撮影手技、及び所在などの検査情報が表示される。
【００５３】
被検体の検査関連情報を選択し、撮影手技などの検査情報を表示させるための操作が、開始時刻を記録するための操作を兼ねているため、オペレータは開始時刻の記録を意識的に行わなくてもよい。また、オペレータが撮影手技などの検査情報を確認せずに撮影を行うことは一般的には考え難いため、開始時刻が記録されないというリスクを低減することができる。
【００５４】
下記で説明するＸ線画像（放射線画像）の写損が発生した場合、オペレータにより、写損発生時の撮影手技が選択され、写損ボタン１００２が押下される。写損ボタン１００２の押下に伴って、検査記録装置１０４は、写損が発生したことを示す写損情報を検査実施情報として撮影手技に関連付けて記憶部４０２記憶し、検査情報詳細画面に同様の撮影手技を複製する。
【００５５】
患者（被検体）や撮影環境などが要因となり、検査オーダに登録されていない撮影手技を追加する場合、手技追加ボタン１００３が押下される。手技追加ボタン１００３の押下に伴い、図１１に示す手技編集画面が表示される。手技編集画面は、登録済み手技ボタン１１０１と、手技一覧表示部１１０２と、手技追加ボタン１１０３と、手技削除ボタン１１０４と、編集終了ボタン１１０５とを含む。
【００５６】
手技一覧表示部１１０２から撮影手技が選択され、手技追加ボタン１１０３が押下されることで、撮影手技を追加することができる。また、登録済み手技ボタン１１０１から撮影手技が選択され、手技削除ボタン１１０４が押下されることで、撮影手技を削除することができる。撮影手技の追加と削除は、ボタン操作の代わりに、例えば、ドラッグアンドドロップなどの操作により実行されてもよい。
【００５７】
オペレータは、詳細情報表示部１００１に表示される撮影手技を確認し、撮影のセッティング及び患者のポジショニングを行う。一連の撮影準備が完了すると、オペレータはＸ線発生装置１０２を操作し、被検体（例えば、患者の特定部位）に向けてＸ線を照射させ、被検体を透過したＸ線をＸ線撮影装置１０３に検出させる。これにより、Ｘ線画像（放射線画像）の撮影が行われる。
【００５８】
このとき、検査記録装置（情報端末）１０４は、Ｘ線画像の撮影毎に、Ｘ線発生装置１０２からＸ線の照射線量を検査実施情報として取得し、照射線量を記憶部４０２に取得順に記憶する（ステップＳ６０８）。照射線量の取得は、オペレータによって入力されてもよい。
【００５９】
これらの手順が繰り返えされることにより、詳細情報表示部１００１に表示されたすべての撮影手技の撮影が実施される。すべての撮影が終了すると、オペレータは、検査終了ボタン１００４を押下する。これにより一連の検査が終了し、検査記録装置１０４は、時計４０３の現在時刻を検査の終了時刻として取得し、検査関連情報と関連付けて記憶部４０２に記憶する（ステップＳ６０９）。
【００６０】
検査終了ボタン１００４の押下に伴って、検査記録装置１０４は、図９の検査情報一覧画面を再度表示する。このように、検査記録装置（情報端末）１０４は、被検体の検査関連情報が表示された時刻を終了時刻として記憶する。
【００６１】
オペレータは、検査情報一覧画面で未実施の検査オーダがあるか否かを確認する（ステップＳ６１０）。未実施の検査情報が存在する場合（ステップＳ６１０：ＹＥＳ）、検査記録装置１０４は、再度表示された検査情報一覧画面から次の検査オーダを選択する。
【００６２】
検査情報一覧画面（検査関連情報）を表示するための操作が、終了時刻を記録するための操作を兼ねているため、オペレータは終了時刻の記録を意識的に行わなくてもよい。また、次の検査オーダを選択するためには、検査終了ボタン１００４を押下し、検査情報一覧画面を表示する必要があるため、終了時刻が記録されないというリスクを低減することができる。
【００６３】
実施すべきすべての検査情報に対する撮影が終了すると（ステップＳ６１０：ＮＯ）、オペレータは、Ｘ線撮影装置１０３と検査記録装置１０４を制御装置１０１に電気的に接続する。グループの登録情報が複数の制御装置１０１間で共有されている場合、Ｘ線撮影装置１０３と検査記録装置１０４は、グループの登録情報を共有している任意の制御装置１０１に接続されてもよい。
【００６４】
例えば、制御装置１０１Ａでグループ１０９Ａを登録し、グループ１０９ＡのＸ線撮影装置１０３Ａと検査記録装置１０４Ａは、グループ１０９Ａの登録情報を共有している制御装置１０１Ｂに接続されてもよい。また、検査記録装置１０４がグループの登録情報を記憶している場合にも、Ｘ線撮影装置１０３と検査記録装置１０４は、任意の制御装置１０１に接続されてもよい。
【００６５】
グループ登録されているすべての装置が制御装置１０１と通信可能な状態になることで、制御装置１０１はデータの受信を開始する。また、オペレータが制御装置１０１を操作し、データ受信開始ボタンを押下することで、制御装置１０１はデータの受信を開始してもよい。
【００６６】
Ｘ線画像とその撮影時刻が、Ｘ線撮影装置１０３から機器Ｉ／Ｆ２０４を介して制御装置１０１へ送信される。実施された検査関連情報とその開始時刻と終了時刻が、検査記録装置１０４からネットワーク１０８を介して制御装置１０１へ送信される。制御装置（対応付け部）１０１は、データの受信が完了すると、受信データを記憶部２０２へ記憶し、検査関連情報とＸ線画像（放射線画像）の対応付け処理を行う。
【００６７】
制御装置（対応付け部）１０１は、検査記録装置（情報端末）１０４により関連付けられた被検体の検査の開始時刻及び終了時刻の少なくとも１つと検査関連情報とを入力する。そして、制御装置（対応付け部）１０１は、開始時刻から撮影されたＸ線画像（放射線画像）及び終了時刻まで撮影されたＸ線画像（放射線画像）の少なくとも１つと検査関連情報（被検体名や検査ＩＤなど）とを対応付ける。Ｘ線画像（放射線画像）と検査関連情報の対応付け処理では、各検査関連情報に含まれる開始時刻から終了時刻の間に撮影されたＸ線画像を、撮影時刻とともに記憶部２０２から抽出し、抽出されたＸ線画像を検査関連情報と対応付ける。
【００６８】
本実施形態では、検査の開始時刻と終了時刻を用いたが、制御装置（対応付け部）１０１は、所定の検査の開始時刻から次の検査の開始時刻までの間に撮影されたＸ線画像を抽出して、検査関連情報に対応付けてもよい。また、制御装置（対応付け部）１０１は、所定の検査の終了時刻から次の検査の終了時刻までの間に撮影されたＸ線画像を抽出して、検査関連情報に対応付けてもよい。
【００６９】
本実施形態によれば、放射線画像を被検者の検査関連情報と自動的に対応付けることで、患者取り違えなどのリスクを低減しつつ、撮影を効率化することができる。
【００７０】
制御装置（対応付け部）１０１は、Ｘ線画像（放射線画像）の撮影順序及び検査関連情報に含まれる検査の実施順序に基づいて、Ｘ線画像（放射線画像）と検査関連情報とを対応付けてもよい。例えば、制御装置１０１は、Ｘ線画像（放射線画像）と検査関連情報を対応付けた後、開始時刻及び終了時刻の少なくとも１つを基準に、各検査関連情報内で検査順が早い検査関連情報から順番に撮影時刻の早いＸ線画像（放射線画像）と対応付ける。
【００７１】
制御装置１０１は、Ｘ線画像（放射線画像）の撮影時間と検査関連情報に含まれる検査時間、及びＸ線画像（放射線画像）の撮影順序と検査関連情報に含まれる実施順序に基づいて、Ｘ線画像（放射線画像）と検査関連情報を対応付けることができる。つまり、同一の被検体が複数の撮影を行う場合であっても、Ｘ線画像（放射線画像）と検査関連情報を対応付けることができる。
【００７２】
制御装置（対応付け部）１０１は、開始時刻から撮影されたＸ線画像（放射線画像）及び終了時刻まで撮影されたＸ線画像（放射線画像）の少なくとも１つと検査関連情報とを、Ｘ線画像（放射線画像）の撮影順序及び検査関連情報の取得順序に基づいて対応付ける。これにより、開始時刻及び終了時刻の少なくとも１つが分かれば、その時刻を基準に撮影順序と検査順序をマッチングさせることで、Ｘ線画像（放射線画像）と検査関連情報を対応付けることができる。
【００７３】
なお、制御装置（対応付け部）１０１は、開始時刻から撮影されたＸ線画像（放射線画像）及び終了時刻まで撮影されたＸ線画像（放射線画像）の少なくとも１つと照射線量とを、Ｘ線画像（放射線画像）の撮影順序及び照射線量の取得順序に基づいて対応付けることもできる。
【００７４】
すべての検査関連情報において、Ｘ線画像（放射線画像）と検査関連情報との対応付け処理が終了すると、制御装置１０１は、一連の検査を終了し、Ｘ線画像（放射線画像）と検査関連情報を対応づけた状態で出力又は記憶する。例えば、ＰＡＣＳ１０７、ＲＩＳ１０５、記憶部２０２、及びプリンタ（不図示）などに、Ｘ線画像（放射線画像）と検査関連情報が出力又は記憶される。このとき、Ｘ線画像（放射線画像）が対応付けられていない検査関連情報は、未実施として処理される。
【００７５】
本実施形態によれば、放射線画像を検査関連情報と自動的に対応付けることで、患者取り違えなどのリスクを低減しつつ、撮影を効率化することができる。
【００７６】
（第２の実施形態）
次に、第２の実施形態について説明する。第２の実施形態では、さらに、検査記録装置１０４が、撮影手技の実施順を検査実施情報として記録し、Ｘ線画像（放射線画像）と撮影手技とを対応付ける。なお、上記の実施形態と同様の構成、機能、及び動作についての説明は省略し、主に本実施形態との差異について説明する。
【００７７】
まず、第１の実施形態と同様に、図５に示すグループ化処理が行われる。次に、検査関連情報記録処理が実施される。図１２は、検査記録装置（情報端末）１０４の検査関連情報記録処理の一例を示すフローチャートである。
【００７８】
ステップＳ６０７で撮影手技を確認して撮影が実施される際、患者（被検体）や撮影効率や撮影環境が要因となり、図１０の詳細情報表示部１００１に表示される撮影手技の順序通りに撮影が実施されない場合がある。このように、撮影手技の表示順序と実施順序が異なる場合、オペレータは、詳細情報表示部１００１の撮影手技の表示順序を実施順序に合わせて並び替える。詳細情報表示部１００１に表示される撮影手技の順序通りに撮影が実施された場合は、オペレータは、詳細情報表示部１００１の撮影手技の表示順序を並び替える必要はない。
【００７９】
すべての撮影と照射線量の記録と撮影手技の並び替えが終了すると、オペレータは検査終了ボタン１００４を押下する。検査終了ボタン１００４の押下に伴い、検査記録装置１０４は、撮影手技の実施順序を検査実施情報として記憶部４０２に記憶する。そして、検査記録装置１０４は、時計４０３の現在時刻を検査の終了時刻として取得し、検査関連情報と関連付けて記憶部４０２に記憶する（ステップＳ６１１）。
【００８０】
本実施形態では、表示された撮影手技を並び変えることで実施順序を記録したが、例えば、撮影手技の近傍（例えば、横）に数値入力欄を設けて、数値記入欄へ実施順序を入力するなどの方法により、撮影手技の実施順序が記録されてもよい。
【００８１】
実施すべきすべての検査情報に対する撮影が終了すると（ステップＳ６１０：ＮＯ）、上記の実施形態と同様に、Ｘ線撮影装置１０３と検査記録装置１０４は、制御装置１０１に電気的に接続され、データを制御装置１０１へ送信する。本実施形態では、さらに撮影手技が、撮影手技の実施順序とともに、検査記録装置１０４からネットワーク１０８を介して制御装置１０１へ送信される。
【００８２】
制御装置（対応付け部）１０１は、データの受信が完了すると、上記の実施形態と同様に、Ｘ線画像（放射線画像）の撮影順序及び検査関連情報に含まれる検査の実施順序に基づいて、Ｘ線画像と検査関連情報（被検体名や検査ＩＤなど）とを対応付ける。
【００８３】
制御装置１０１は、Ｘ線画像（放射線画像）と検査関連情報を対応付けた後、開始時刻及び終了時刻の少なくとも１つを基準に、各検査関連情報内で取得が早い検査関連情報から順番に撮影時刻の早いＸ線画像（放射線画像）と対応付ける。検査記録装置（情報端末）１０４は、Ｘ線画像（放射線画像）を撮影する際の撮影手技を記憶する。そして、制御装置（対応付け部）１０１は、開始時刻から撮影されたＸ線画像（放射線画像）及び終了時刻まで撮影されたＸ線画像（放射線画像）の少なくとも１つと撮影手技とを、Ｘ線画像の撮影順序及び撮影手技の実施順序に基づいて対応付ける。
【００８４】
すべての検査関連情報において、Ｘ線画像（放射線画像）と検査関連情報との対応付け処理が終了すると、制御装置１０１は、一連の検査を終了し、Ｘ線画像（放射線画像）と検査関連情報を対応づけた状態で出力又は記憶する。例えば、ＰＡＣＳ１０７、ＲＩＳ１０５、記憶部２０２、及びプリンタ（不図示）などに、Ｘ線画像（放射線画像）と検査関連情報が出力又は記憶される。
【００８５】
このとき、Ｘ線画像（放射線画像）が対応付けられていない検査関連情報や撮影手技は、未実施として処理される。また、写損情報が関連付けられた撮影手技に対応付けられたＸ線画像（放射線画像）は、写損扱いとされ、例えば、写損画像専用のＰＡＣＳ１０７に出力される。
【００８６】
本実施形態によれば、放射線画像を撮影手技と自動的に対応付けることで、患者取り違えなどのリスクを低減しつつ、撮影を効率化することができる。
【００８７】
（第３の実施形態）
【００８８】
次に、第３の実施形態について説明する。第３の実施形態では、対応付け処理後、対応付けの結果が表示され、オペレータによる対応付けの編集が可能となる。なお、上記の実施形態と同様の構成、機能、及び動作についての説明は省略し、主に本実施形態との差異について説明する。
【００８９】
制御装置１０１は、上記の第１の実施形態又は第２の実施形態による対応付け処理を行った後、図１３に示す対応付け結果画面を表示部２０５に表示する。対応付け結果画面は、検査時刻表示部１３０１と、検査情報表示部１３０２と、サムネイル表示部１３０３と、撮影時刻表示部１３０４と、手技追加ボタン１３０６と、検査追加ボタン１３０７と、対応付け確定ボタン１３０８とを含む。
【００９０】
検査関連情報の数及びＸ線画像（放射線画像）の数が多い場合には、スクロールバー１３０５が表示され、スクロールバー１３０５をスクロールさせることにより、任意の時間帯の検査関連常用及びＸ線画像（放射線画像）を表示することができる。
【００９１】
検査時刻表示部１３０１には、各検査関連情報の開始時刻又は終了時刻が表示される。検査情報表示部１３０２には、各検査関連情報の検査情報（検査ＩＤ、患者名、患者ＩＤ、生年月日、性別、及び撮影手技など）と検査実施情報（照射線量及び写損情報など）が表示され、検査の開始点１３１０又は終了点１３１１が表示される。
【００９２】
Ｘ線画像（放射線画像）と対応付けられている撮影手技１３０９は、サムネイル表示部１３０３のＸ線画像（放射線画像）のサムネイルと同時刻の位置に表示されるなど、撮影手技とＸ線画像（放射線画像）の関係が明示される。また、写損情報は、写損情報を検査情報に表示したり、撮影手技に色やマークを付したりすることで、写損の発生が明示される。
【００９３】
各検査関連情報が選択され、より詳細な検査関連情報を表示するようにしてもよい。サムネイル表示部１３０３には、Ｘ線画像のサムネイルが表示される。サムネイルが選択され、拡大されたＸ線画像が表示されることにより、Ｘ線画像の視認性を高めてもよい。また、現在対応付けられている検査関連情報の情報が表示されてもよい。撮影時刻表示部１３０４には、各Ｘ線画像の撮影時刻が表示される。
【００９４】
オペレータは、対応付け結果画面から、実際と異なる検査関連情報（例えば、撮影手技）と対応付けられているＸ線画像（放射線画像）や、対応付けられるべき検査関連情報がないＸ線画像（放射線画像）が、存在するか否かを確認する。
【００９５】
例えば、検査記録装置１０４で検査を終了せずに次の検査の撮影を実施した場合や、撮影完了前に次の検査の開始した場合、実際と異なる検査関連情報とＸ線画像（放射線画像）が対応づけられる。また、検査記録装置１０４で検査を開始せずに撮影を行った場合、何れの検査関連情報にも対応付けられていないＸ線画像（放射線画像）が生じる。
【００９６】
これらの場合、オペレータは、Ｘ線画像（放射線画像）のサムネイルを対応付けたい検査関連情報にドラッグアンドドロップすることで、実際の検査関連情報（例えば、撮影手技）にＸ線画像（放射線画像）を関連付ける。これにより、検査関連情報（例えば、撮影手技）が変更されて、Ｘ線画像（放射線画像）に関連付けられる。
【００９７】
また、検査を緊急で行ったなどの理由で、検査記録装置（情報端末）１０４による検査関連情報の入力前にＸ線画像（放射線画像）の撮影を行い、対応付けられる検査関連情報が存在しない場合、オペレータは検査追加ボタン１３０７を押下する。検査追加ボタン１３０７の押下に伴い、図１４の検査追加画面が表示部２０５に表示される。
【００９８】
検査追加画面は、患者情報入力部１４０１と、手技一覧表示部１４０２と選択済み手技削除ボタンと、検査追加ボタン１４０４とを含む。患者情報入力部１４０１には、患者名や生年月日などが入力され、手技一覧表示部１４０２から撮影手技が選択される。その後、検査追加ボタン１４０４が押下されると、入力された情報に基づいて検査関連情報が生成され、生成された検査関連情報がＸ線画像（放射線画像）に対応付けられる。
【００９９】
患者や撮影環境などが要因となり、検査情報に登録されていない撮影手技で撮影を実施したにも関わらず、検査記録装置１０４で手技追加の操作を行わなかった場合、検査情報に登録されている手技の数を超える枚数のＸ線画像が検査関連情報に対応付けられる。この結果、対応付けられるべき撮影手技が存在しないＸ線画像が生じる。
【０１００】
この場合、制御装置１０１は、撮影手技に対応付けられていないＸ線画像と記憶部２０２に登録されている撮影手技の一覧とを表示する。オペレータが一覧から対応付けられるべき撮影手技を選択すると、制御装置１０１は、選択された撮影手技を検査情報に追加し、Ｘ線画像と対応付ける。このように、制御装置１０１（対応付け部）は、Ｘ線画像（放射線画像）の数が撮影手技の数を超える場合、撮影手技を入力し、対応付けができなかったＸ線画像（放射線画像）を、入力された撮影手技と対応付ける。
【０１０１】
オペレータは、対応付けの編集が終了すると、対応付け確定ボタン１３０８を押下する。何れの撮影手技にも対応付けられていないＸ線画像（放射線画像）が残存する場合、制御装置１０１は、撮影手技を入力してＸ線画像（放射線画像）と対応付けるようにオペレータに通知し、撮影手技と対応付けられていないＸ線画像（放射線画像）を表示させる。
【０１０２】
すべてのＸ線画像が撮影手技と対応付けられている場合、対応付け確定ボタン１３０８の押下に伴い、一連の検査が終了する。制御装置１０１は、Ｘ線画像（放射線画像）と検査関連情報の対応付けを確定し、例えば、ＰＡＣＳ１０７、ＲＩＳ１０５、記憶部２０２、及びプリンタ（不図示）などに出力又は記憶する。
【０１０３】
このとき、Ｘ線画像が対応付けられていない検査関連情報（例えば、撮影手技）は、未実施として処理される。つまり、制御装置１０１（対応付け部）は、撮影手技の数がＸ線画像（放射線画像）の数を超える場合、Ｘ線画像（放射線画像）と対応付けができなかった撮影手技を未実施の撮影手技として記録する。また、写損情報が関連付けられた撮影手技に対応付けられたＸ線画像は、写損扱いとされ、写損画像専用のＰＡＣＳに出力される。
【０１０４】
（第４の実施形態）
次に、第４の実施形態について説明する。第４の実施形態では、対応付け処理が検査記録装置（情報端末）１０４により実施される。この場合、検査記録装置１０４は、被検体のＸ線画像（放射線画像）を撮影し、Ｘ線画像（放射線画像）の撮影時間を記憶するＸ線撮影装置（放射線撮影装置）１０３に電気的に接続可能な情報端末である。
【０１０５】
また、検査記録装置（情報端末）１０４の記憶部４０２は、被検体の検査関連情報に基づいて、被検体の検査時間を記憶する。そして、検査記録装置（情報端末）１０４のＣＰＵ（対応付け部）４０１は、撮影時間及び検査時間に基づいて、Ｘ線画像（放射線画像）と検査関連情報（被検体名、検査ＩＤ、照射線量、及び撮影手技など）とを対応付ける。
【０１０６】
以下、詳細に説明する。まず、検査記録装置１０４がグループ化処理を行う。検査に用いるＸ線撮影装置１０３の個体識別番号が検査記録装置１０４に登録される。
【０１０７】
次に、上記の実施形態と同様に、図６の検査関連情報記録処理が行われる。すべての撮影が終了したら、検査記録装置１０４とＸ線撮影装置１０３とが、機器Ｉ／Ｆ３０５と機器Ｉ／Ｆ４０５を介して電気的に接続される。接続されたＸ線撮影装置１０３がグループ登録されている場合、Ｘ線撮影装置１０３と通信可能な状態になることで、検査記録装置１０４はデータの受信を開始する。また、オペレータが検査記録装置１０４を操作し、データ受信開始ボタンを押下することで、検査記録装置１０４はデータの受信を開始してもよい。
【０１０８】
Ｘ線画像とその撮影時刻が、Ｘ線撮影装置１０３から検査記録装置１０４へ送信される。検査記録装置１０４のＣＰＵ（対応付け部）４０１は、データの受信が完了すると、受信データを記憶部４０２へ記憶し、検査関連情報とＸ線画像（放射線画像）の対応付け処理を行う。
【０１０９】
同一グループの複数のＸ線撮影装置１０３で撮影が実施された場合、検査記録装置１０４は、各Ｘ線撮影装置１０３からＸ線画像とその撮影時刻を受信する。検査記録装置１０４がグループ登録されたすべてのＸ線撮影装置１０３からＸ線画像とその撮影時刻を取得するか、オペレータが検査記録装置１０４を操作して対応付け処理開始ボタンを押下することで、対応付け処理が開始する。
【０１１０】
検査関連情報とＸ線画像（放射線画像）の対応付けは、上記の実施形態と同様の方法で行われる。例えば、検査記録装置１０４の記憶部４０２は、被検体の検査の開始時刻及び終了時刻の少なくとも１つを検査関連情報と関連付けて記憶する。そして、検査記録装置１０４のＣＰＵ（対応付け部）４０１は、開始時刻から撮影されたＸ線画像（放射線画像）及び終了時刻まで撮影されたＸ線画像（放射線画像）の少なくとも１つと検査関連情報とを対応付ける。
【０１１１】
検査関連情報とＸ線画像の対応付け処理が終了すると、検査記録装置１０４は、一連の検査を終了し、Ｘ線画像（放射線画像）と検査関連情報を対応づけた状態で出力又は記憶する。例えば、ＰＡＣＳ１０７、ＲＩＳ１０５、記憶部４０２、及びプリンタ（不図示）などに、Ｘ線画像（放射線画像）と検査関連情報が出力又は記憶される。このとき、Ｘ線画像（放射線画像）が対応付けられていない検査関連情報は、未実施として処理される。対応付け処理後は、上記の実施形態と同様に、対応付け結果の表示とオペレータによる編集が検査記録装置１０４により実施されてもよい。
【０１１２】
本実施形態によれば、検査記録装置１０４をＸ線撮影装置１０３に接続することで、放射線画像と検査関連情報とを対応付けることができ、患者取り違えなどのリスクを低減しつつ、撮影を効率化することができる。
【０１１３】
（第５の実施形態）
次に、第５の実施形態について説明する。第５の実施形態では、対応付け処理がＸ線撮影装置（放射線撮影装置）１０３により実施される。この場合、Ｘ線撮影装置１０３は、被検体の検査関連情報を記憶する検査記録装置（情報端末）１０４に電気的に接続可能であり、検査関連情報に基づいて被検体のＸ線画像（放射線画像）を撮影し、Ｘ線画像の撮影時間を記憶する放射線撮影装置である。
【０１１４】
また、Ｘ線撮影装置１０３のＣＰＵ（対応付け部）３０１は、被検体の検査時間を検査記録装置（情報端末）１０４から入力し、撮影時間及び検査時間に基づいて、Ｘ線画像と検査関連情報（被検体名、検査ＩＤ、照射線量、及び撮影手技など）とを対応付ける。
【０１１５】
以下、詳細に説明する。まず、上記の実施形態と同様に、グループ化処理と検査関連情報記録処理が行われる。
【０１１６】
すべての撮影が終了したら、検査記録装置１０４とＸ線撮影装置１０３とが、機器Ｉ／Ｆ３０５と機器Ｉ／Ｆ４０５を介して電気的に接続される。接続されたＸ線撮影装置１０３がグループ登録されている場合、Ｘ線撮影装置１０３と通信可能な状態になることで、検査記録装置１０４はデータの送信を開始する。また、オペレータが検査記録装置１０４を操作し、データ送信開始ボタンを押下することで、検査記録装置１０４はデータの送信を開始してもよい。
【０１１７】
実施された検査関連情報とその開始時刻と終了時刻が、検査記録装置１０４からＸ線撮影装置１０３へ送信される。Ｘ線撮影装置１０３は、受信が完了すると、受信データを記憶部３０４へ記憶し、検査関連情報とＸ線画像（放射線画像）の対応付け処理を行う。
【０１１８】
同一グループの複数のＸ線撮影装置１０３で撮影が実施された場合、検査記録装置１０４は、各Ｘ線撮影装置１０３に接続され、実施された検査関連情報とその開始時刻と終了時刻を送信する。
【０１１９】
検査関連情報とＸ線画像（放射線画像）の対応付けは、上記の実施形態と同様の方法で行われる。例えば、Ｘ線撮影装置（放射線撮影装置）１０３のＣＰＵ（対応付け部）３０１は、検査記録装置１０４により関連付けられた被検体の検査の開始時刻及び終了時刻の少なくとも１つと検査関連情報とを入力する。そして、ＣＰＵ（対応付け部）３０１は、開始時刻から撮影されたＸ線画像（放射線画像）及び終了時刻まで撮影されたＸ線画像（放射線画像）の少なくとも１つと検査関連情報とを対応付ける。
【０１２０】
検査関連情報とＸ線画像の対応付け処理が終了すると、Ｘ線撮影装置１０３は、Ｘ線画像（放射線画像）と検査関連情報を対応づけた状態で、例えば、制御装置１０１及び記憶部３０４などに出力又は記憶する。このとき、Ｘ線画像（放射線画像）が対応付けられていない検査関連情報は消去される。
【０１２１】
また、ネットワークＩ／Ｆを設け、Ｘ線撮影装置１０３は、Ｘ線画像（放射線画像）と検査関連情報を対応づけた状態で、例えば、ＰＡＣＳ１０７、ＲＩＳ１０５、及びプリンタ（不図示）などに出力してもよい。また、Ｘ線撮影装置１０３に表示部と入力部が設けられ、対応付け処理後は、上記の実施形態と同様に、対応付け結果の表示とオペレータによる編集がＸ線撮影装置１０３により実施されてもよい。
【０１２２】
本実施形態によれば、Ｘ線撮影装置１０３を検査記録装置１０４に接続することで、放射線画像と検査関連情報とを対応付けることができ、患者取り違えなどのリスクを低減しつつ、撮影を効率化することができる。
【０１２３】
以上、本発明にかかる実施形態について説明したが、本発明はこれらに限定されるものではなく、請求項に記載された範囲内において変更・変形することが可能である。
【０１２４】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【０１２５】
１０１  制御装置
１０２  Ｘ線発生装置
１０３  Ｘ線撮影装置（放射線撮影装置）
１０４  検査記録装置（情報端末）
１０５  ＲＩＳ
１０６  ＨＩＳ
１０７  ＰＡＣＳ
１０８  ネットワーク
２０１，３０１，４０１  ＣＰＵ
２０２，３０４，４０２  記憶部
２０５，３０６，４０６  表示部
２０６，４０７  入力部
３０２  Ｘ線検出部
３０３，４０３  時計
【図１】
2017184875.tif 000003
【図２】
2017184875.tif 000004
【図３】
2017184875.tif 000005
【図４】
2017184875.tif 000006
【図５】
2017184875.tif 000007
【図６】
2017184875.tif 000008
【図７】
2017184875.tif 000009
【図８】
2017184875.tif 000010
【図９】
2017184875.tif 000011
【図１０】
2017184875.tif 000012
【図１１】
2017184875.tif 000013
【図１２】
2017184875.tif 000014
【図１３】
2017184875.tif 000015
【図１４】
2017184875.tif 000016